(57)【特許請求の範囲】
【請求項１】
上下枠及び左右の縦枠を方形状に枠組みしてなる枠体内にパネル体を納めてなり、前記枠体はパネル体の室内側に押縁嵌合溝を四周に渡って備え、該押縁嵌合溝には前記パネル体を室内側から押圧する押縁部材を嵌合したサッシにおいて、
前記上下枠または左右の縦枠のうちいずれか一方は室内側開口内周縁と室外側開口内周縁が略同一平面内に形成され、該室内側開口内周縁と室外側開口内周縁が略同一平面内に形成される枠の押縁嵌合溝は前記パネル体を室内側からけんどん式またはやり返しで挿入できる開口幅と奥行きを有してなることを特徴とするサッシ。
【請求項２】
前記室内側開口内周縁と室外側開口内周縁が略同一平面内に形成される枠の押縁部材は内周面が当該枠の室内側開口内周縁と略連続状とされてなることを特徴とする請求項１記載のサッシ。
【請求項３】
前記枠体の室内側開口内周縁には室内方向に延出する取付片が形成され、前記室内側開口内周縁と室外側開口内周縁が略同一平面内に形成される枠の押縁部材の内周面は前記取付片の内周面と略面一状であることを特徴とする請求項２記載のサッシ。
【請求項４】
前記枠体は室外側を金属材で構成し、該金属材の室内側に樹脂材を配設してなり、前記押縁嵌合溝は樹脂材に形成されると共に、前記押縁部材は樹脂により形成されることを特徴とする請求項１〜３のいずれか１項に記載のサッシ。
【発明の詳細な説明】
【技術分野】
【０００１】
本発明は建物開口部に設けられるサッシに関し、特に枠体内にパネル体を納める嵌め殺し窓においてパネル開口面積を広く取ることのできるサッシに関する。
【背景技術】
【０００２】
従来から建物開口部に設けられるサッシとして、建物開口部に固定される枠体に対しガラス等のパネル体を納めた嵌め殺し窓が知られている。また、嵌め殺し窓において室内側から室外側を見た際にすっきりした印象を与えるため、枠体の室内側内周縁と押縁部材の内周面とを室内側の額縁部材と同一平面内に配置するものがある。このような嵌め殺し窓としては、例えば特許文献１に挙げるようなものがある。
【特許文献１】特開２００３−１８４４４４号公報
【発明の開示】
【発明が解決しようとする課題】
【０００３】
しかし、従来の嵌め殺し窓においては、押縁部材を室外側に設け、パネル体を枠体に対して室外側から取付けるために、窓の取付位置によっては作業性が悪いという問題点があった。一方で室内側には枠体に対して額縁材が設けられ、額縁材の内周面はパネル体の端部よりも見付方向内側に配置されるため、パネル体を室内側から取付けることは困難であった。
【０００４】
本発明は、上記課題を解決すべくなされたものであり、枠体の内周面を室内側から室外側まで略同一平面内に配置した場合にも室内側からパネル体を取付けることのできるサッシを提供することを目的とする。
【課題を解決するための手段】
【０００５】
上記課題を解決するため、本発明に係るサッシは、上下枠及び左右の縦枠を方形状に枠組みしてなる枠体内にパネル体を納めてなり、前記枠体はパネル体の室内側に押縁嵌合溝を四周に渡って備え、該押縁嵌合溝には前記パネル体を室内側から押圧する押縁部材を嵌合したサッシにおいて、
前記上下枠または左右の縦枠のうちいずれか一方は室内側開口内周縁と室外側開口内周縁が略同一平面内に形成され、該室内側開口内周縁と室外側開口内周縁が略同一平面内に形成される枠の押縁嵌合溝は前記パネル体を室内側からけんどん式またはやり返しで挿入できる開口幅と奥行きを有してなることを特徴として構成されている。
【０００６】
また、本発明に係るサッシは、前記室内側開口内周縁と室外側開口内周縁が略同一平面内に形成される枠の押縁部材は内周面が当該枠の室内側開口内周縁と略連続状とされてなることを特徴として構成されている。
【０００７】
さらに、本発明に係るサッシは、前記枠体の室内側開口内周縁には室内方向に延出する取付片が形成され、前記室内側開口内周縁と室外側開口内周縁が略同一平面内に形成される枠の押縁部材の内周面は前記取付片の内周面と略面一状であることを特徴として構成されている。
【０００８】
さらにまた、本発明に係るサッシは、前記枠体は室外側を金属材で構成し、該金属材の室内側に樹脂材を配設してなり、前記押縁嵌合溝は樹脂材に形成されると共に、前記押縁部材は樹脂により形成されることを特徴として構成されている。
【発明の効果】
【０００９】
本発明に係るサッシによれば、上下枠または左右の縦枠のうちいずれか一方は室内側開口内周縁と室外側開口内周縁が略同一平面内に形成され、室内側開口内周縁と室外側開口内周縁が略同一平面内に形成される枠の押縁嵌合溝はパネル体を室内側からけんどん式またはやり返しで挿入できる開口幅と奥行きを有してなることにより、パネル体を室内側から容易に挿入することができると共に、上下方向または左右方向のいずれかについてパネル開口面積を大きくすることができ、視界が広くすっきりとした意匠性の高いサッシとすることができる。
【００１０】
また、本発明に係るサッシによれば、室内側開口内周縁と室外側開口内周縁が略同一平面内に形成される枠の押縁部材は内周面が当該枠の室内側開口内周縁と略連続状とされてなることにより、押縁部材によってパネル開口面積が狭められることがなく、よりすっきりとした意匠性の高いサッシとすることができる。
【００１１】
さらに、本発明に係るサッシによれば、枠体の室内側開口内周縁には室内方向に延出する取付片が形成され、室内側開口内周縁と室外側開口内周縁が略同一平面内に形成される枠の押縁部材の内周面は取付片の内周面と略面一状であることにより、取付片から押縁部材をよりすっきりさせることができ、また枠体の室内側に設けられる額縁部材を容易に固定することができる。
【００１２】
さらにまた、本発明に係るサッシによれば、枠体は室外側を金属材で構成し、金属材の室内側に樹脂材を配設してなり、押縁嵌合溝は樹脂材に形成されると共に、押縁部材は樹脂により形成されることにより、室内側を樹脂材により構成できるので、断熱性能に優れたサッシとすることができる。
【発明を実施するための最良の形態】
【００１３】
本発明の実施形態について、図面に沿って詳細に説明する。図１は本実施形態におけるサッシの縦断面図、図２はサッシの横断面図である。これら各図に示すように、本実施形態におけるサッシは、建物開口部に取付けられた枠体１内にガラス等のパネル体２を納めて固定した嵌め殺し窓として構成されている。
【００１４】
枠体１は、上枠１０と下枠２０及び左右の縦枠３０、３０を方形状に枠組みして構成される。枠体１を構成する各枠はアルミの押出部材からなる金属部材の室内側露出面に樹脂部材を取付けてなる複合部材により構成される。すなわち上枠１０は室外側の金属上枠１１と室内側の樹脂上枠１２により、下枠２０は室外側の金属下枠２１と室内側の樹脂下枠２２により、縦枠３０は室外側の金属縦枠３１と室内側の樹脂縦枠３２により、それぞれ構成される。各樹脂部材は金属部材に対して係合及びネジ止めにより固定される。
【００１５】
枠体１の外周面の中間位置には四周に渡ってフィン部１ａが形成されている。フィン部１ａは建物躯体に当接し、ビス止めされる。これにより枠体１は建物躯体に対して固定される。また、枠体１の室内側には額縁部材４０が四周に渡って設けられており、枠体１の室内側端部が額縁部材４０に固定されている。枠体１の室内側端部は、各樹脂部材により構成されている。樹脂上枠１２と樹脂下枠２２及び樹脂縦枠３２には、それぞれ室内側内周縁が延出された取付片４１が形成されており、この取付片４１が四周に渡って額縁部材４０と略面一状となるように当接されネジ止めされている。
【００１６】
パネル体２は、室外面を枠体１の金属部材に形成される室外保持部４２により保持され、室内面を樹脂部材に取付けられる押縁部材４４により保持される。室外保持部４２は、金属上枠１１と金属下枠２１及び金属縦枠３１の内周面の室外側において、見付方向内側に向かって延出してなり、その先端部が枠体１における室外側内周縁となるように形成されている。室外保持部４２先端部の室内側は、水密材４２ａを介してパネル体２の室外面に当接し、パネル体２を室外側から保持する。
【００１７】
枠体１を構成する樹脂上枠１２と樹脂下枠２２及び樹脂縦枠３２には、パネル体２の室内側となる部分に押縁嵌合溝４３がそれぞれ形成されている。押縁嵌合溝４３には、その開口付近に被嵌合部４３ａが形成されており、押縁部材４４の外周面に形成された嵌合部４４ａを嵌合固定する。押縁部材４４は、枠体１を構成する樹脂部材と同じ樹脂からなり断面中空状に形成されると共に、室外面には水密部４４ｂが形成されていて、パネル体２の室内面に当接し、パネル体２を室内側から保持する。
【００１８】
図１に示すように、上枠１０と下枠２０については、枠体１の室外側内周縁である室外保持部４２の先端部と押縁部材４４の内周面４４ｃが略同一平面内に配置され、かつこれらが枠体１の室内側内周縁である取付片４１よりも見付方向内側に配置されている。すなわち、上下の取付片４１、４１の間よりも上下の押縁部材４４、４４の間及び上下の室外保持部４２、４２の間の方が狭くなっている。これはパネル体２の上下方向寸法が上下の取付片４１、４１間の寸法よりも小さいことによる。このためパネル体２は、上下方向に関しては枠体１が建物開口部に取付けられた状態で室内側から所定の位置に配置することができ、その状態で室内側から上下の押縁部材４４、４４を取付けてパネル体２を保持することができる。
【００１９】
図２に示すように、左右の縦枠３０、３０については、枠体１の室内側内周縁である取付片４１と室外側内周縁である室外保持部４２の先端部が、略同一平面内に配置される。また、押縁部材４４の内周面４４ｃも取付片４１と略面一状とされて枠体１の室内側内周縁と略連続状となっている。これによって、額縁部材４０から枠体１の室外側内周縁に至るまでが略同一平面内に配置され、室内側から室外側を見た際のパネル開口面積を広くして視界を広くすることができる。
【００２０】
しかし、このように構成することで室外保持部４２と押縁部材４４によりパネル体２を挟持する位置が、枠体１の取付片４１や額縁部材４０の内周面よりも見付方向外側となるため、パネル体２の左右方向寸法は左右の取付片４１や額縁部材４０間の寸法よりも大きくなる。したがって、左右方向に関してはパネル体２を斜めにしなければ室内側から取付片４１及び額縁部材４０部を通過させることができない。また、斜めにしたパネル体２を枠体１に納めるために、枠体１に対して平行な向きに変える必要がある。そのため、樹脂縦枠３２の押縁嵌合溝４３は、樹脂上枠１２や樹脂下枠２２の押縁嵌合溝４３よりも深く、パネル体２を左右方向のやり返しにより枠体１に対して挿入することができる開口幅及び深さを有するように形成されている。
【００２１】
図３は、パネル体２を枠体１に納める際の状態を連続的に示した横断面図である。この図においては、パネル体２に対し枠体１に納める手順に沿ってａ、ｂ、ｃ…とアルファベット順に符号を付している。ａに示すように枠体１に対し平行方向に配置されたパネル体２は、額縁部材４０及び取付片４１部を通過させるために斜めにされて、ｂ〜ｄに示すように片方の端部が押縁嵌合溝４３に対して挿入される。押縁嵌合溝４３はやり返しに必要な開口幅及び深さを有しているので、斜めにしたパネル体２を水平に近づけながら片方の端部を充分に納めることができる。
【００２２】
パネル体２の片方の端部を押縁嵌合溝４３に納めたら、ｅに示すようにパネル体２を枠体１の中央位置に移動させ、さらにｆに示すように室外側に向かって平行移動させて室外保持部４２の水密材４２ａに対し当接させる。これによってパネル体２の位置が定まるので、押縁部材４４を室内側から取付けることにより、パネル体２が室内外両面から挟持され保持される。
【００２３】
このように、左右の縦枠３０、３０については枠体１の室内側内周縁と室外側内周縁及び押縁部材４４の内周面を略同一平面内に配置しつつ、縦枠３０のパネル体２より室内側にパネル体２をやり返しで挿入できる開口幅及び深さを有する押縁嵌合溝４３を設け、上枠１０と下枠２０については枠体１の室外側内周縁と押縁部材４４の内周面４４ｃを枠体１の室内側内周縁より見付方向内側に配置したことにより、パネル体２の左右方向については開口幅を大きくすることができ、かつパネル体２の枠体１に対する挿入も室内側から容易に行うことのできるサッシとすることができる。
【００２４】
一方で左右の縦枠３０、３０と上枠１０及び下枠２０の構成を逆にすることもできる。すなわち、上枠１０及び下枠２０については枠体１の室内側内周縁と室外側内周縁及び押縁部材４４の内周面を略同一平面内に配置しつつ、上枠１０と下枠２０のパネル体２より室内側にパネル体２をけんどん式で挿入できる開口幅及び深さを有する押縁嵌合溝４３を設け、縦枠３０については枠体１の室外側内周縁と押縁部材４４の内周面を枠体１の室内側内周縁より見付方向内側に配置することにより、パネル体２の上下方向については開口幅を大きくすることができ、かつパネル体２の枠体１に対する挿入も室内側から容易に行うことのできるサッシとすることができる。
【００２５】
以上のように、本発明によればパネル体２の左右方向または上下方向のいずれか一方について開口幅を大きくすることができるが、他方については従来と同様の開口幅となる。パネル体２の左右方向と上下方向のいずれについて開口幅を大きくするかは窓の形状などによって適宜選択する。例えば、上下方向に長い窓であれば、辺の長い縦枠３０側について枠体１の室内側から室外側まで略同一面状となるように配置して左右方向の開口幅を大きくすることで、全体としてのパネル開口面積を大きくすることができる。逆に左右方向に長い窓であれば、辺の長い上枠１０及び下枠２０側について枠体１の室内側から室外側まで略同一面状となるように配置して上下方向の開口幅を大きくすることで、全体としてのパネル開口面積を大きくすることができる。
【００２６】
以上、本発明の実施形態について説明したが、本発明はこの実施形態には限られず、その技術的思想の範囲内において様々に適用されうるものである。例えば、本実施形態では金属部材の室内側に樹脂部材を配設した複合サッシについて示したが、全て金属部材からなる金属サッシについても同様に本発明を適用することができる。
【図面の簡単な説明】
【００２７】
【図１】本実施形態におけるサッシの縦断面図である。
【図２】本実施形態におけるサッシの横断面図である。
【図３】パネル体を枠体に納める際の状態を連続的に示した横断面図である。
【符号の説明】
【００２８】
１    枠体
２    パネル体
１０    上枠
２０    下枠
３０    縦枠
４０    額縁部材
４１    取付片
４２    室外保持部
４３    押縁嵌合溝
４４    押縁部材
４４ｃ  内周面
【図１】
0004659603.tif 000002
【図２】
0004659603.tif 000003
【図３】
0004659603.tif 000004